(57)【特許請求の範囲】
【請求項１】
陳列商品を載せる板状部材と、該板状部材の裏側に形成された脚部材嵌合凹部に抜き差し自在に嵌合する板状の脚部材とを有し、
該脚部材は、２つの板状物を該板状物の一側でヒンジ結合した折り畳み構造であり、折り畳み状態の脚部材のヒンジ側を該脚部材嵌合凹部に嵌めて短足の脚長さとする第１の使用形態又は最大展開状態の脚部材のヒンジの軸芯と直交する側を該脚部材嵌合凹部に嵌めて該短足の脚長さより長い脚長さとする第２の使用形態をとることを特徴とする商品陳列台。
【請求項２】
該脚部材嵌合凹部は、幅（Ｄ１）、長さ（Ｌ２）、深さ（Ｈ１）であり、
該脚部材の板状物は、縦横長さ（Ｌ１）、（Ｌ２）、最大厚さ（Ｄ１）であり、
該脚部材は、折り畳み状態における脚部材のヒンジの軸芯方向に延びる長さが（Ｌ２）、ヒンジ部周りの厚みが（Ｄ１）であり、最大展開状態におけるヒンジの軸芯と直交する側の長さが（Ｌ２）であることを特徴とする請求項１記載の商品陳列台。
【請求項３】
該板状部材は、折り畳み状態の脚部材を寝かせて収納する収納部を裏面に有することを特徴とする請求項１又は２に記載の商品陳列台。
【請求項４】
該脚部材嵌合凹部の深さ（Ｈ１）と収納部の深さは同じであることを特徴とする請求項３に記載の商品陳列台。
【請求項５】
該脚部材及び該脚部材嵌合凹部は、それぞれ２個有することを特徴とする請求項１又は２に記載の商品陳列台。
【発明の詳細な説明】
【技術分野】
【０００１】
本発明は、スーパーや百貨店等、特にパック物の商品を陳列する際に好適な商品陳列台に関するものである。
【背景技術】
【０００２】
一般に、惣菜、枝豆等のパック物商品は、大きな商品陳列台の所定のコーナーに多数並べて陳列することが多い。この場合、陳列面積を広くとってしまう。また、陳列方法に工夫がなく、陳列の演出を高めるものではない。
【０００３】
陳列面積の問題を解決するものとして、実用新案登録第３１２０７８２号公報には、板状本体部の前後方向における一方の側及び他方の側に、板状本体部から互いに反対方向に異なる屈曲角度で屈曲する第１係止部と第２係止部とそれぞれ備える棚板部材と、棚板部材が設置される横溝であって、且つ陳列ボード面から深さ方向に対して斜め方向に形成された傾斜溝を、前後方向に所定のピッチで多数形成してなる陳列ボードとを有する商品陳列棚装置が開示されている。この商品陳列棚装置によれば、パック物商品の多段陳列に好適である。また、陳列の演出を高めるものとしては、短い脚付き商品陳列台に商品を載せる方法も知られている。短い脚付き商品陳列台は、脚付きまな板のようなものであり、商品の鮮度の高さと高級感を顧客に与える効果がある。
【先行技術文献】
【特許文献】
【０００４】
【特許文献１】実用新案登録第３１２０７８２号
【発明の概要】
【発明が解決しようとする課題】
【０００５】
しかしながら、実用新案登録第３１２０７８２号公報の商品陳列棚装置は、通常４〜５段となるため、上方の棚段に置かれたパック物は、顧客にとっては見え難いものであった。また、陳列ボードは後方に延びる支持部が存在するため、食材商品の陳列という観点からは違和感を覚えるものでもあった。一方、短い脚付き商品陳列台は、通常、脚部は陳列本体部と一体であり、脚部が突出しているため、保管スペースを採ってしまう。また、商品の陳列の演出を高めるという点では十分とは言えないものであった。
【０００６】
従って、本発明の目的は、簡単な構造であるにも拘わらず、特にパック物商品の陳列の演出を高めることができ、保管に好適な商品陳列台を提供することにある。
【課題を解決するための手段】
【０００７】
かかる実情において、本発明者は鋭意検討を行った結果、陳列商品を載せる板状部材と、該板状部材の裏側に形成された脚部材嵌合凹部に抜き差し自在に嵌合する板状の脚部材を有し、脚部材は、２つの板状物を該板状物の一側でヒンジ結合した折り畳み構造とすれば、脚長さの短い第１の使用形態及び脚長さの長い第２の使用形態をとることができ、陳列商品の演出を高めることができること、また、板状部材の裏面に、折り畳み状態の脚部材を寝かせて収納すれば、コンパクト化でき保管が容易となること等を見出し、本発明を完成するに至った。
【０００８】
すなわち、本発明は、陳列商品を載せる板状部材と、該板状部材の裏側に形成された脚部材嵌合凹部に抜き差し自在に嵌合する板状の脚部材とを有し、該脚部材は、２つの板状物を該板状物の一側でヒンジ結合した折り畳み構造であり、折り畳み状態の脚部材のヒンジ側を該脚部材嵌合凹部に嵌めて短足の脚長さとする第１の使用形態又は最大展開状態の脚部材のヒンジの軸芯と直交する側を該脚部材嵌合凹部に嵌めて該短足の脚長さより長い脚長さとする第２の使用形態をとることを特徴とする商品陳列台を提供するものである。
【発明の効果】
【０００９】
本発明によれば、簡単な構造であるにも拘わらず、特にパック物商品の陳列の演出を高めることができ、保管に好適な商品陳列台を提供することができる。
【図面の簡単な説明】
【００１０】
【図１】第１の使用形態における商品陳列台の斜視図である。
【図２】図１の商品陳列台を裏側から見た斜視図である。
【図３】第１の使用形態の商品陳列台を裏側から見た分解斜視図である。
【図４】商品陳列台で使用する折り畳み状態にある脚部材の斜視図である。
【図５】商品陳列台で使用する最大展開状態にある脚部材の斜視図である。
【図６】図５の脚部材の反対側から見た斜視図である。
【図７】第２の使用形態における商品陳列台の斜視図である。
【図８】図７の商品陳列台を裏側から見た斜視図である。
【図９】第２の使用形態の商品陳列台を裏側から見た分解斜視図である。
【図１０】脚部材の収納方法を説明する図である。
【図１１】脚部材を収納した商品陳列台を裏側から見た斜視図である。
【図１２】商品仕切り板の斜視図である。
【図１３】商品仕切り板と商品転落防止板を板状部材に嵌め込む方法を説明する図である。
【図１４】商品陳列台の他の使用形態を説明する図である。
【発明を実施するための形態】
【００１１】
次に、本発明の実施の形態における商品陳列台を図１〜図１１を参照して説明する。本明細書中、左右方向は、特段の説明が無い場合、板状部材の長手方向を言い、前後方向は、板状部材の短手方向を言う。商品陳列台１０は、陳列商品を載せる板状部材１と、板状部材１の裏側に形成された脚部材嵌合凹部３に抜き差し自在に嵌合する一対の板状の脚部材２、２を有するものである。
【００１２】
板状部材１は、商品が載る所定の陳列面積を有する表面１１を有し、一定の厚みのあるものであればよく、中実の板状物の裏面をくり抜いたものであっても、本例のような表面部材と４つの側面部材からなる枠体をリブで補強したものであってもよい。
【００１３】
板状部材１の表面１１には、左右方向に延びる横溝１２が前後方向に所定のピッチで多数形成されている。横溝１２は載置された商品の滑り防止となると共に、公知の陳列補助部材（不図示）の係合凹部となる。また、板状部材１の表面１１の前後端には、左右方向に延びる係合溝１３、１３が形成されている。係合溝１３、１３には、商品仕切り板の係止突起５３が係止したり、商品転落防止板７が係止したりする（図１３参照）。
【００１４】
板状部材１の裏側には、脚部材嵌合凹部３が所定間隔離間して２つ形成されている。脚部材嵌合凹部３の形成位置は、商品陳列台１０の基台への設置が安定する位置で適宜決定される。脚部材嵌合凹部３には脚部材２が抜き差し自在に嵌合する。脚部材嵌合凹部３は、４つの壁部材３１、３１、３３、３３で囲まれたものであり、２つの壁部材３１、３１の内側には脚部材嵌合凹部３の深さ方向に延びるリブ３２が長さ方向に適宜のピッチで複数個形成されている。脚部材嵌合凹部３を壁部材の囲み構造とすることで、板状部材１の強度を高めることもできる。また、脚部材嵌合凹部３のリブ３２は、板状部材１と脚部材２の嵌合強度を低下させることなく、板状部材１から脚部材２を外し易くしている。
【００１５】
脚部材嵌合凹部３は、内寸法で幅（Ｄ１）、長さ（Ｌ２）、深さ（Ｈ１）である（図３）。幅（Ｄ１）は板状部材１の長手方向における長さであり、長さ（Ｌ２）は板状部材１の短手方向における長さである。
【００１６】
板状部材１の裏側には、折り畳み状態の脚部材２を寝かせて収納する収納部４が２つの脚部材嵌合凹部３の内側であって、所定間隔離間して２つ形成されている。収納部４には脚部材２が抜き差し自在に嵌合する。収納部４は、４つの壁部材４１、４１、４３、４３で囲まれたものであり、２つの壁部材４１、４１の内側には収納部４の深さ方向に延びるリブ４２が長さ方向に適宜のピッチで複数個形成されている。収納部４を壁部材の囲み構造とすることで、板状部材１の強度を高めることもできる。また、収納部４のリブ４２は、板状部材１と脚部材２の嵌合強度を低下させることなく、板状部材１から脚部材２を外し易くしている。
【００１７】
収納部４は、内寸法で縦横長さ（Ｌ１）及び（Ｌ２）、深さ（２Ｄ１）である（図２）。長さ（Ｌ１）は板状部材１の長手方向における長さであり、長さ（Ｌ２）は板状部材１の短手方向における長さである。収納部４の深さ（２Ｄ１）は脚部材嵌合凹部３の深さ（Ｈ１）と同じであってもよい。
【００１８】
板状部材１の裏側には、脚部材嵌合凹部３及び収納部４の他、多数のリブ７が形成されており、板状部材１の強度を高めている。
【００１９】
各脚部材２は、２つの板状物２１ａ、２１ｂを板状物の一側２２でヒンジ結合した折り畳み構造である。２つの板状物２１ａ、２１ｂは、ヒンジ結合近傍以外は、略同じ形状であり、それぞれ縦長さ（Ｌ１）、横長さ（Ｌ２）、本体部の厚み（最大厚み）（Ｄ１）の寸法である。板状物２１ａ、２１ｂは、商品を支持する強度が必要となるため、一定の厚みを有するものであり、中実の板状物であっても、本例のような表面部材と３つの側面部材からなる枠体をリブで補強したものであってもよい。
【００２０】
板状物２１ａは、厚み（Ｄ１）の本体部２３ａと、高さ略（Ｄ１/２）の段差２７ａを介して本体部２３ａと連続する厚み（Ｄ１）のヒンジ側部２４ａとからなる。すなわち、図５中、ヒンジ接合部分２１２の厚みが（Ｄ１）である。ヒンジ側部２４ａの両側の一端（図５中、上端）には軸孔が形成され、他端（図５中、下端）には丸軸が形成され、板状物２１ｂとのヒンジ結合を可能としている。また、ヒンジ側部２４ａの丸軸形成側は、切り欠かれており、板状物２１ｂのヒンジ側部２４ｂの軸孔に内側から嵌るようになっている。
【００２１】
板状物２１ｂは、板状物２１ａの対称形状であって、厚み（Ｄ１）の本体部２３ｂと、段差２７ｂを介して本体部２３ａと連続する厚み（Ｄ１/２）のヒンジ側部２４ｂとからなる。ヒンジ側部２４ｂの一端（図５中、下端）には軸孔が形成され、他端（図５中、上端）には丸軸が形成されており、板状物２１ａとのヒンジ結合を可能としている。また、ヒンジ側部２４ｂの丸軸形成側は、切り欠かれており、板状物２１ａのヒンジ側部２４ａの軸孔に内側から嵌るようになっている。このように形状の２つの板状物２１ａ、２１ｂの丸軸と軸孔を嵌合させ折り畳むと、厚み（Ｄ１/２）の軸形成部２１３が、厚み（Ｄ１）の軸孔形成部２１２の内側に入り込むため、ヒンジ結合近傍は厚み（Ｄ１）となり、本体部の厚みが（２Ｄ１）となる（図４）。
【００２２】
脚部材２において、ヒンジ側部２４ａ、２４ｂの高さ（端から段差２７までの長さ）は、脚部材嵌合凹部３の深さと同等若しくはそれより大としている。これにより、図１及び図２に示すような、折り畳み状態の脚部材２のヒンジ側部２４ａ、２４ｂを脚部材嵌合凹部３に嵌めて短足の脚長さの商品陳列台１０とすることができる（第１の使用形態）。第１の使用形態によれば、脚長さが（Ｌ１）と短く、本体部の厚みが（２Ｄ１）と太い安定感のある商品陳列台１０を得ることができる。
【００２３】
次に、折り畳み状態にある脚部材２を、一方の板状物２１ａに対して、他方の板状物２１ｂを１８０度回動して、板状物２１ａと他方の板状物２１ｂの各々の面が同一面となるように展開する（最大展開状態）。この最大展開状態の脚部材２は、図５及び図６に示すように、ヒンジの軸芯２６と直交する側２５の長さが（Ｌ２）となり、ヒンジの軸芯２６と平行する側２８の長さが（Ｌ３）となる。そして、図７及び図８に示すように、最大展開状態の脚部材２のヒンジの軸芯２６と直交する側２５を脚部材嵌合凹部３に嵌めて第１の使用形態における脚長さより長い脚長さの商品陳列台とすることができる（第２の使用形態）。第２の使用形態によれば、脚部材２のヒンジの軸芯２６と直交する側２５を脚部材嵌合凹部３に嵌めるため、展開状態でヒンジが固定され腰折れとなることがない。また、本体部の厚みは（Ｄ１）と細いものの、脚長さが（Ｌ３）と長い商品陳列台１０を得ることができる。
【００２４】
次に、脚部材２が収納状態にある商品陳列台１０について図１０及び図１１を参照して説明する。折り畳み状態にある脚部材２は、板状部材１の裏面の収納部４に寝かせた姿勢で嵌め込むことができる。収納部４の内寸法は、図２に示すように、縦横寸法が（Ｌ１）、（Ｌ２）深さが（２Ｄ１）であり、折り畳み状態の脚部材２の寸法と略同じであり、折り畳み状態の脚部材２は、収納部４に完全収納される。このため、脚部材２を収納した商品陳列台１０は、板状部材１と同じ大きさとなりコンパクト化でき、保管スペースを採らない。また、脚部材２を収納した商品陳列台１０は、このままで商品の陳列に使用することもできる。これにより、商品陳列台１０は、第１の使用形態の脚長さより更に脚の短い（脚無し）ものとして使用できる。
【００２５】
本発明の商品陳列台１０は、複数台を左右方向あるいは前後方向に並べて使用することができる（図１４参照）。また、例えば、商品仕切り板や商品転落防止板を使用すれば、商品陳列の演出効果が高まる。商品仕切り板５としては、例えば細長の基板５１の左右方向の中心に立設する仕切り板本体５２と、基板５１の先端に下方の延びる係止突起５３を有するものが挙げられる。また、商品転落防止板７は矩形状の板材が使用できる。図１３に示すように、商品転落防止板７は板状部材１の後方係合溝１３に嵌め込み、商品仕切り板５は、係止突起５３を前方係合溝１３に嵌め込むことでそれぞれ固定できる。
【００２６】
本発明の商品陳列台は、上記実施の形態例のような、２本の脚部材に限定されず、例えば、１本あるいは３本以上であってもよい。この場合、脚部材嵌合凹部及び収納部は脚部材の使用本数に応じた個数を設置すればよい。すなわち、例えば１本の脚部材の場合、脚部材嵌合凹部及び収納部はそれぞれ１個であり、３本の脚部材の場合、脚部材嵌合凹部及び収納部はそれぞれ３個である。脚部材１本の商品陳列台の場合、脚部材は板状部材の後方側に設置し、板状部材の傾斜面が陳列面となる。
【産業上の利用可能性】
【００２７】
本発明の商品陳列台は、簡単な構造であるにも拘わらず、特にパック物商品の陳列において、高さが異なる３段階の陳列が演出できるため、スーパー等において好適に使用できる。また、コンパクト収納が可能であるため、保管スペースを採らない。
【符号の説明】
【００２８】
１    板状部材
２    脚部材
３    脚部材嵌合凹部
４    収納部
５    商品仕切り板
７    商品転落防止板
１０    商品陳列台
【図１】
0005595201.tif 000002
【図２】
0005595201.tif 000003
【図３】
0005595201.tif 000004
【図４】
0005595201.tif 000005
【図５】
0005595201.tif 000006
【図６】
0005595201.tif 000007
【図７】
0005595201.tif 000008
【図８】
0005595201.tif 000009
【図９】
0005595201.tif 000010
【図１０】
0005595201.tif 000011
【図１１】
0005595201.tif 000012
【図１２】
0005595201.tif 000013
【図１３】
0005595201.tif 000014
【図１４】
0005595201.tif 000015